(57)【要約】【課題】両面入射型太陽電池素子を備える太陽電池装置において、太陽電池パネルの裏面の受光面における受光強度のムラを低減する。【解決手段】設置面Ｇに対して傾斜させて配置された太陽電池パネル１１と、前記設置面Ｇ上に敷設された光反射部材３０と、を有することを特徴とする太陽電池装置。【選択図】図２
2016167935.tif 000002
【特許請求の範囲】
【請求項１】
設置面に対して傾斜させて配置された太陽電池パネルと、
前記設置面上に敷設された光反射部材と、
を有することを特徴とする太陽電池装置。
【請求項２】
前記光反射部材が、粉砕石英片から構成されることを特徴とする請求項１に記載の太陽電池装置。
【発明の詳細な説明】
【技術分野】
【０００１】
本発明は、太陽電池装置に関する。
【背景技術】
【０００２】
従来、両面入射型太陽電池素子は、光入射側の電極及び裏面側の電極を透明電極の構成にし、太陽電池素子の表裏から光を入射させるように構成されている。また、太陽電池パネルの裏面に表面と同様な強化ガラスを取り付け、裏側からの光も太陽電池セルに当たるようにした方式のものも知られている。これらの方式では、例えば、太陽電池パネルが設置面に対し所定の角度を有するように支持架台に取り付けられた陸置きの太陽電池装置の場合、支持架台の下方部の設置面に、太陽電池パネルの裏面側に光を反射するための光反射シートが設けられる（例えば、特許文献１参照）。
【先行技術文献】
【特許文献】
【０００３】
【特許文献１】特開２０１４−１６５２９７号公報
【発明の概要】
【発明が解決しようとする課題】
【０００４】
ところで、支持架台に取り付けられた太陽電池パネルが、設置面に対し所定の角度を有する場合は、太陽電池パネルの上部と下部とでは、支持架台の下方部の設置面に設けた反射板との間隔が異なることから、太陽電池パネルの裏面の受光面までの間隔にばらつきが生じる。このため、受光面における受光強度のムラが大きくなるという問題がある。
本発明の目的は、両面入射型太陽電池素子を備える太陽電池装置において、太陽電池パネルの裏面の受光面における受光強度のムラを低減することにある。
【課題を解決するための手段】
【０００５】
本発明によれば、設置面に対して傾斜させて配置された太陽電池パネルと、前記設置面上に敷設された光反射部材と、を有することを特徴とする太陽電池装置が提供される。
ここで、前記光反射部材が、粉砕石英片から構成されることが好ましい。
【発明の効果】
【０００６】
本発明によれば、両面入射型太陽電池素子を備える太陽電池装置において、太陽電池パネルの裏面の受光面における受光強度のムラが低減する。
【図面の簡単な説明】
【０００７】
【図１】本実施の形態が適用される太陽電池装置の一例を説明する図である。
【図２】図１の太陽電池装置の断面の一例を説明する図である。
【発明を実施するための形態】
【０００８】
以下、本発明の実施の形態について詳細に説明する。尚、本発明は、以下の実施の形態に限定されるものではなく、その要旨の範囲内で種々変形して実施することが出来る。また、使用する図面は本実施の形態を説明するためのものであり、実際の大きさを表すものではない。
【０００９】
（太陽電池装置）
図１は、本実施の形態が適用される太陽電池装置の一例を説明する図である。図１に示すように、複数組の太陽電池アレイ１０，２０が、平地などの設置面上に設置される。太陽電池アレイ１０，２０のそれぞれには、両面入射型太陽電池素子を複数個備えた太陽電池パネル１１，２１が支持架台１２，２２に取り付けられている。それぞれの太陽電池パネル１１，２１は電気的に接続されている。
太陽電池パネル１１，２１の大きさは特に限定されないが、通常、幅９５ｃｍ〜１０５ｃｍ、長さ１３０ｃｍ〜２００ｃｍの範囲で決められる。本実施の形態では、太陽電池パネル１１，２１の大きさは、幅１００ｃｍ×長さ１３３．８ｃｍ、または、幅１００ｃｍ×長さ１６５．４ｃｍである。
【００１０】
支持架台１２，２２は、前側基礎１４ａ，２４ａ上に建てられた前側脚部１３ａ，２３ａと、後側基礎１４ｂ，２４ｂ上に建てられた後側脚部１３ｂ，２３ｂを有している。前側脚部１３ａ，２３ａの長さと後側脚部１３ｂ，２３ｂの長さとは、支持架台１２，２２上に取り付けられた太陽電池パネル１１，２１が、太陽電池装置を設置する地点の緯度、経度、使用目的、システム等に応じて、所定の角度で傾斜して配置されるように決められている。図１に示すように、本実施の形態では、設置面に対して所定の角度で傾斜して配置されるように、前側脚部１３ａ，２３ａの長さが後側脚部１３ｂ，２３ｂの長さより短くなっている。
【００１１】
支持架台１２，２２の前側脚部１３ａ，２３ａの長さと、後側脚部１３ｂ，２３ｂの長さは特に限定されない。例えば、本実施の形態のように、複数組の太陽電池アレイ１０，２０が、平地等に設置された陸置きの太陽電池装置で採用されている３段システムの場合、前側脚部１３ａ，２３ａの長さは、通常、５０ｃｍ〜１００ｃｍの範囲であり、後側脚部１３ｂ，２３ｂの長さは、２００ｃｍ〜３００ｃｍの範囲である。また、通常、後側脚部１３ｂ，２３ｂの長さは、前側脚部１３ａ，２３ａの長さの３倍〜４倍となるように決められている。
さらに、支持架台１２，２２上に取り付けられた太陽電池パネル１１，２１と設置面との角度は、本実施の形態では、通常、１５度〜３０度の範囲で決められている。
【００１２】
図２は、図１の太陽電池装置の断面の一例を説明する図である。図２に示すように、太陽電池パネル１１（２１）が取り付けられた支持架台１２（２２）の下方部の設置面Ｇ上には、光反射部材３０が敷設されている。支持架台１２（２２）の下方部の設置面Ｇ上に光反射部材３０を敷設することにより、太陽光と光反射部材３０からの反射光Ｒとを、両面入射型太陽電池素子に有効に入射させることができる。
【００１３】
（光反射部材３０）
本実施の形態では、光反射部材３０として粉砕石英片を敷設している。粉砕石英片の大きさは特に限定されないが、通常、直径１ｃｍ〜５ｃｍの範囲が好ましい。粉砕石英片を敷設する範囲は、支持架台１２（２２）の下方部の設置面Ｇ上に限定されず、陸置きの太陽電池装置の周辺にも敷設することが好ましい。
【００１４】
光反射部材３０が敷設される範囲は特に限定されないが、本実施の形態では、支持架台１２（２２）の下方部の設置面Ｇ上、さらに、複数組の太陽電池アレイ１０，２０からなる太陽電池装置の端部の外周１ｍ〜３ｍ程度の範囲に敷設されている。
また、光反射部材３０が敷設される厚さは特に限定されないが、本実施の形態では５ｃｍ〜１０ｃｍ程度であり、設置面Ｇの表面が見えない程度に敷設されている。尚、光反射部材３０により、前側脚部１３ａ，２３ａを支える前側基礎１４ａ，２４ａと、後側脚部１３ｂ，２３ｂを支える後側基礎１４ｂ，２４ｂとが、埋もれる程度に光反射部材３０を敷設しても構わない。
【００１５】
粉砕石英片を敷設すると、石英の白色面により設置面Ｇに入射する太陽光が反射し、反射光Ｒが太陽電池パネル１１（２１）の裏面側からも入射する。これにより、太陽電池装置の発電量を上昇させることが可能となる。尚、石英の白色面により、太陽電池装置の設置面に入射する太陽光の２０％〜４０％が反射すると考えられる。
【００１６】
本実施の形態では、粉砕石英片を、例えば、シリコン結晶炉で使用される石英坩堝を所定の大きさになるように粉砕することにより調製している。石英坩堝は窒化物コーティングにより白色を成すので、光反射部材３０として好適である。また、石英坩堝は再利用先が限定されているため、その処分方法が少ないという問題に対し、一つの解決手段を提供することができる。さらに、陸置きの太陽電池装置の設置面Ｇに粉砕石英片を敷設すると、地面を照射する太陽光を遮ることが出来るので、雑草等の繁殖を防ぐ防草効果も得ることができる。
尚、光反射部材３０の他の例としては、例えば、大理石、石灰石等の白色鉱石、帆立貝等の貝殻等も使用可能である。
【００１７】
（両面入射型太陽電池素子）
本実施の形態で使用する両面入射型太陽電池素子の構造は、両面受光可能なものであれば特に限定されない。例えば、公知の以下の構造のものが挙げられる。
（１）両面受光型発電セルを、両面から２枚の透明な板状体（例えば、強化ガラス板等）で挟み込んで封着した太陽電池パネル。
（２）２枚の片面受光型発電セルを、受光面を外側にして背中合わせに重ね、両面から２枚の透明な板状体で挟み込んで封着した太陽電池パネル。
（３）２枚の片面受光型の太陽電池モジュール（太陽電池パネル）を、板状の支持部材を介して背中合わせにして一体化した太陽電池パネル。
【符号の説明】
【００１８】
１０，２０…太陽電池アレイ、１１，２１…太陽電池パネル、１２，２２…支持架台、１３ａ，２３ａ…前側脚部、１３ｂ，２３ｂ…後側脚部、１４ａ，２４ａ…前側基礎、１４ｂ，２４ｂ…後側基礎、３０…光反射部材、Ｇ…設置面、Ｒ…反射光
【図１】
2016167935.tif 000003
【図２】
2016167935.tif 000004